【手続補正書】
【提出日】平成22年12月14日(2010.12.14)
【手続補正１】
【補正対象書類名】特許請求の範囲
【補正対象項目名】全文
【補正方法】変更
【補正の内容】
【特許請求の範囲】
【請求項１】
ネットワークに接続するための第１の接続手段と、情報処理装置に接続するための第２の接続手段とを備えた通信装置であって、
前記第１の接続手段を介して前記ネットワークからデータを受信する受信手段と、
前記受信手段が受信したデータを処理する処理手段と、
前記通信装置との通信が拒否されている送信元を示す拒否情報を登録する拒否情報登録手段と、
前記受信手段が受信したデータの送信元を示す情報が前記拒否情報登録手段により登録されていない場合に、前記受信手段が受信したデータの送信元を示す情報を送信元情報として設定した確認データを前記第２の接続手段を介して前記情報処理装置に送信する送信手段と、
前記送信手段による前記確認データの送信が正常に行われた場合は、前記受信手段が受信したデータを前記処理手段により処理させ、前記送信手段による前記確認データの送信が正常に行われなかった場合は、前記受信手段が受信したデータを破棄する制御手段と、
を備えることを特徴とする通信装置。
【請求項２】
前記受信手段が受信したデータの送信元を示す情報が前記拒否情報登録手段により登録されている場合は、前記送信手段による前記確認データの送信を行うことなく、前記制御手段は、前記受信手段が受信したデータを破棄することを特徴とする請求項１に記載の通信装置。
【請求項３】
前記送信手段による前記確認データの送信が正常に行われなかった場合に、前記拒否情報登録手段は、前記受信手段が受信したデータの送信元を示す情報を新たに登録することを特徴とする請求項１または２に記載の通信装置。
【請求項４】
ネットワークに接続するための第１の接続手段と、情報処理装置に接続するための第２の接続手段とを備えた通信装置であって、
前記第１の接続手段を介して前記ネットワークからデータを受信する受信手段と、
前記受信手段が受信したデータを処理する処理手段と、
前記通信装置との通信が許可されている送信元を示す許可情報を登録する許可情報登録手段と、
前記受信手段が受信したデータの送信元を示す情報が前記許可情報登録手段により登録されていない場合に、前記受信手段が受信したデータの送信元を示す情報を送信元情報として設定した確認データを前記第２の接続手段を介して前記情報処理装置に送信する送信手段と、
前記送信手段による前記確認データの送信が正常に行われた場合は、前記受信手段が受信したデータを前記処理手段により処理させ、前記送信手段による前記確認データの送信が正常に行われなかった場合は、前記受信手段が受信したデータを破棄する制御手段と、
を備えることを特徴とする通信装置。
【請求項５】
前記受信手段が受信したデータの送信元を示す情報が前記許可情報登録手段により登録されている場合は、前記送信手段による前記確認データの送信を行うことなく、前記制御手段は、前記受信手段が受信したデータを前記処理手段により処理させることを特徴とする請求項４に記載の通信装置。
【請求項６】
前記送信手段による前記確認データの送信が正常に行われた場合に、前記許可情報登録手段は、前記受信手段が受信したデータの送信元を示す情報を新たに登録することを特徴とする請求項４または５に記載の通信装置。
【請求項７】
ネットワークに接続するための第１の接続手段と、情報処理装置に接続するための第２の接続手段とを備えた通信装置であって、
前記第１の接続手段を介して前記ネットワークからデータを受信する受信手段と、
前記受信手段が受信したデータを処理する処理手段と、
前記通信装置との通信が拒否されている送信元を示す拒否情報を登録する拒否情報登録手段と、
前記通信装置との通信が許可されている送信元を示す許可情報を登録する許可情報登録手段と、
前記拒否情報登録手段および前記許可情報登録手段のいずれにも前記受信手段が受信したデータの送信元を示す情報が登録されていない場合に、前記受信手段が受信したデータの送信元を示す情報を送信元情報として設定した確認データを前記第２の接続手段を介して前記情報処理装置に送信する送信手段と、
前記送信手段による前記確認データの送信が正常に行われた場合は、前記受信手段が受信したデータを前記処理手段により処理させ、前記送信手段による前記確認データの送信が正常に行われなかった場合は、前記受信手段が受信したデータを破棄する制御手段と、
を備えることを特徴とする通信装置。
【請求項８】
前記送信手段が送信した確認データに対する正常応答が前記情報処理装置から返されてきた場合に、前記送信手段による前記確認データの送信が正常に行われたと判断し、前記確認データに対する正常応答が前記情報処理装置から返されてこなかった場合に、前記送信手段による前記確認データの送信が正常に行われなかったと判断する判断手段を更に備えることを特徴とする請求項１から７のいずれか１項に記載の通信装置。
【請求項９】
前記受信手段が受信したデータの宛先が前記情報処理装置である場合は、当該受信したデータの送信元に関わらず当該受信したデータを前記情報処理装置に転送する転送手段を更に備えることを特徴とする請求項１から８のいずれか１項に記載の通信装置。
【請求項１０】
ネットワークに接続するための第１の接続手段と、情報処理装置に接続するための第２の接続手段とを備えた通信装置の制御方法であって、
前記第１の接続手段を介して前記ネットワークからデータを受信する受信工程と、
前記受信工程で受信したデータを処理する処理工程と、
前記通信装置との通信が拒否されている送信元を示す拒否情報を登録する拒否情報登録工程と、
前記受信工程で受信したデータの送信元を示す情報が前記拒否情報登録工程において登録されていない場合に、前記受信工程で受信したデータの送信元を示す情報を送信元情報として設定した確認データを前記第２の接続手段を介して前記情報処理装置に送信する送信工程と、
前記送信工程における前記確認データの送信が正常に行われた場合は、前記受信工程で受信したデータを前記処理工程で処理させ、前記送信工程における前記確認データの送信が正常に行われなかった場合は、前記受信工程で受信したデータを破棄する制御工程と、
を備えることを特徴とする通信装置の制御方法。
【請求項１１】
ネットワークに接続するための第１の接続手段と、情報処理装置に接続するための第２の接続手段とを備えた通信装置の制御方法であって、
前記第１の接続手段を介して前記ネットワークからデータを受信する受信工程と、
前記受信工程で受信したデータを処理する処理工程と、
前記通信装置との通信が許可されている送信元を示す許可情報を登録する許可情報登録工程と、
前記受信工程で受信したデータの送信元を示す情報が前記許可情報登録工程において登録されていない場合に、前記受信工程で受信したデータの送信元を示す情報を送信元情報として設定した確認データを前記第２の接続手段を介して前記情報処理装置に送信する送信工程と、
前記送信工程における前記確認データの送信が正常に行われた場合は、前記受信工程で受信したデータを前記処理工程で処理させ、前記送信工程における前記確認データの送信が正常に行われなかった場合は、前記受信工程で受信したデータを破棄する制御工程と、
を備えることを特徴とする通信装置の制御方法。
【請求項１２】
ネットワークに接続するための第１の接続手段と、情報処理装置に接続するための第２の接続手段とを備えた通信装置の制御方法であって、
前記第１の接続手段を介して前記ネットワークからデータを受信する受信工程と、
前記受信工程で受信したデータを処理する処理工程と、
前記通信装置との通信が拒否されている送信元を示す拒否情報を登録する拒否情報登録工程と、
前記通信装置との通信が許可されている送信元を示す許可情報を登録する許可情報登録工程と、
前記拒否情報登録工程および前記許可情報登録工程のいずれにおいても前記受信工程で受信したデータの送信元を示す情報が登録されていない場合に、前記受信工程で受信したデータの送信元を示す情報を送信元情報として設定した確認データを前記第２の接続手段を介して前記情報処理装置に送信する送信工程と、
前記送信工程における前記確認データの送信が正常に行われた場合は、前記受信工程で受信したデータを前記処理工程で処理させ、前記送信工程における前記確認データの送信が正常に行われなかった場合は、前記受信工程で受信したデータを破棄する制御工程と、
を備えることを特徴とする通信装置の制御方法。
【請求項１３】
請求項１０から１２のいずれか１項に記載の通信装置の制御方法をコンピュータに実行させるためのプログラム。
【手続補正２】
【補正対象書類名】明細書
【補正対象項目名】発明の名称
【補正方法】変更
【補正の内容】
【発明の名称】通信装置及びその制御方法、プログラム
【手続補正３】
【補正対象書類名】明細書
【補正対象項目名】０００１
【補正方法】変更
【補正の内容】
【０００１】
本発明は、ネットワーク及び情報処理装置に接続される通信装置及びその制御方法、プログラムに関するものである。
【手続補正４】
【補正対象書類名】明細書
【補正対象項目名】００１７
【補正方法】変更
【補正の内容】
【００１７】
本発明は、上記の問題点に鑑みなされたものであり、ネットワークを介してデータを受信した場合に、情報処理装置に対して確認データを送信し、この確認データの送信の結果に応じて受信したデータを処理する通信装置及びその制御方法、プログラムを提供することを目的とする。
【手続補正５】
【補正対象書類名】明細書
【補正対象項目名】００１８
【補正方法】変更
【補正の内容】
【００１８】
上記の目的を達成するために本願発明の通信装置は、ネットワークに接続するための第１の接続手段と、情報処理装置に接続するための第２の接続手段とを備えた通信装置であって、前記第１の接続手段を介して前記ネットワークからデータを受信する受信手段と、前記受信手段が受信したデータを処理する処理手段と、前記通信装置との通信が拒否されている送信元を示す拒否情報を登録する拒否情報登録手段と、前記受信手段が受信したデータの送信元を示す情報が前記拒否情報登録手段により登録されていない場合に、前記受信手段が受信したデータの送信元を示す情報を送信元情報として設定した確認データを前記第２の接続手段を介して前記情報処理装置に送信する送信手段と、前記送信手段による前記確認データの送信が正常に行われた場合は、前記受信手段が受信したデータを前記処理手段により処理させ、前記送信手段による前記確認データの送信が正常に行われなかった場合は、前記受信手段が受信したデータを破棄する制御手段とを備えることを特徴とする。
【手続補正６】
【補正対象書類名】明細書
【補正対象項目名】００１９
【補正方法】変更
【補正の内容】
【００１９】
また、本願発明の通信装置は、ネットワークに接続するための第１の接続手段と、情報処理装置に接続するための第２の接続手段とを備えた通信装置であって、前記第１の接続手段を介して前記ネットワークからデータを受信する受信手段と、前記受信手段が受信したデータを処理する処理手段と、前記通信装置との通信が許可されている送信元を示す許可情報を登録する許可情報登録手段と、前記受信手段が受信したデータの送信元を示す情報が前記許可情報登録手段により登録されていない場合に、前記受信手段が受信したデータの送信元を示す情報を送信元情報として設定した確認データを前記第２の接続手段を介して前記情報処理装置に送信する送信手段と、前記送信手段による前記確認データの送信が正常に行われた場合は、前記受信手段が受信したデータを前記処理手段により処理させ、前記送信手段による前記確認データの送信が正常に行われなかった場合は、前記受信手段が受信したデータを破棄する制御手段とを備えることを特徴とする。
【手続補正７】
【補正対象書類名】明細書
【補正対象項目名】００２０
【補正方法】変更
【補正の内容】
【００２０】
また、本願発明の通信装置は、ネットワークに接続するための第１の接続手段と、情報処理装置に接続するための第２の接続手段とを備えた通信装置であって、前記第１の接続手段を介して前記ネットワークからデータを受信する受信手段と、前記受信手段が受信したデータを処理する処理手段と、前記通信装置との通信が拒否されている送信元を示す拒否情報を登録する拒否情報登録手段と、前記通信装置との通信が許可されている送信元を示す許可情報を登録する許可情報登録手段と、前記拒否情報登録手段および前記許可情報登録手段のいずれにも前記受信手段が受信したデータの送信元を示す情報が登録されていない場合に、前記受信手段が受信したデータの送信元を示す情報を送信元情報として設定した確認データを前記第２の接続手段を介して前記情報処理装置に送信する送信手段と、前記送信手段による前記確認データの送信が正常に行われた場合は、前記受信手段が受信したデータを前記処理手段により処理させ、前記送信手段による前記確認データの送信が正常に行われなかった場合は、前記受信手段が受信したデータを破棄する制御手段とを備えることを特徴とする。